(57)【特許請求の範囲】
【請求項１】
放電灯を装着して支持する導電性の灯体と、この灯体に支持された前記放電灯に押し込みかつ回転させることにより嵌合装着されるランプソケットと、前記放電灯を高周波点灯させる点灯装置とを備えた放電灯照明器具において、前記ランプソケットは、一側面にリード線が導出しかつ前記リード線を覆うシールドスリーブの端部を外嵌させる突出部を有するとともに、前記ランプソケットの背面および側面を被覆する導電性のカバーを有し、前記カバーを前記ランプソケットに被せることにより前記突出部の前記シールドスリーブ上に嵌合する嵌合部を前記カバーに設けるとともに、前記カバーの開口縁に第１の接触子を設け、前記放電灯に前記ランプソケットを装着したとき前記第１の接触子が接触する第２の接触子を前記灯体に設けたことを特徴とする放電灯照明器具。
【請求項２】
導電性の灯体に支持された放電灯に、押し込みかつ回転させることにより嵌合装着される放電灯用ソケットにおいて、ソケット本体と前記ソケット本体の背面および側面を被覆する導電性のカバーを有し、前記ソケット本体は、一側面にリード線が導出しかつ前記リード線を覆うシールドスリーブの端部を外嵌させる突出部を有し、前記カバーは前記カバーを前記ソケット本体に被せることにより前記突出部の前記シールドスリーブ上に嵌合する嵌合部を有するとともに、前記カバーの開口縁に第１の接触子を設け、前記放電灯に前記ソケット本体を装着したとき前記灯体に設けられた第２の接触子に前記第１の接触子が接触することを特徴とする放電灯用ソケット。
【請求項３】
前記シールドスリーブに電気的導通のため噛み合わせる接続刃状部を前記嵌合部に設けた請求項２記載の放電灯用ソケット。
【発明の詳細な説明】
【０００１】
【発明の属する技術分野】
この発明は、自動車用ＨＩＤランプ灯の放電バルブを光源とした灯具における電磁波の影響を防止する車両用灯具などの放電灯照明器具および放電灯用ソケットに関するものである。
【０００２】
【従来の技術】
最近、ＨＩＤランプ等の放電灯を自動車用ヘッドランプに用いる傾向が盛んである。しかし、放電バルブの放電を開始させるための点灯回路が必要であり、点灯回路内の点灯管や放電ランプの放電時に発生する電磁波が他の電装部品にとっては有害なノイズになるという問題があった。
【０００３】
このため、従来ノイズを除去することができる放電灯照明器具（例えば特開平 9-204801 号) があった。
【０００４】
【発明が解決しようとする課題】
しかし、この従来例は、コネクタの外面に一体的に導電性カバーを設け、カバーの開口部の周縁部に突縁部を設けてソケットフィクチャを介して反射板に弾性的に嵌合しているため、部品点数が多く取り付け工数がかかった。
【０００５】
また導電性カバーの下面に切り欠きを設けて、コードを挟み込み、弾性的に接続している。そのため、接続部において電気的信頼性が低く自動車の振動等により異常摩耗等が発生し、導通性を阻害する可能性がある。
【０００６】
さらに導電性カバーによりコネクタを覆うため、嵌合不足状態たとえば半嵌合が確認しにくく、そのため高電圧による発煙、発火が起こりうる。
【０００７】
したがって、この発明の目的は、カバーの接続が簡単でノイズを確実に除去することが可能な放電灯照明器具および放電灯用ソケットを提供することである。
【０００８】
【課題を解決するための手段】
請求項１記載の放電灯照明器具は、放電灯を装着して支持する導電性の灯体と、この灯体に支持された前記放電灯に押し込みかつ回転させることにより嵌合装着されるランプソケットと、前記放電灯を高周波点灯させる点灯装置とを備えた放電灯照明器具において、前記ランプソケットは、一側面にリード線が導出しかつ前記リード線を覆うシールドスリーブの端部を外嵌させる突出部を有するとともに、前記ランプソケットの背面および側面を被覆する導電性のカバーを有し、前記カバーを前記ランプソケットに被せることにより前記突出部の前記シールドスリーブ上に嵌合する嵌合部を前記カバーに設けるとともに、前記カバーの開口縁に第１の接触子を設け、前記放電灯に前記ランプソケットを装着したとき前記第１の接触子が接触する第２の接触子を前記灯体に設けたことを特徴とするものである。
【０００９】
請求項１記載の放電灯照明器具によれば、放電灯にランプソケットを装着したときカバーと灯体とを電気的に接続させるため、ノイズ除去が可能となるとともに部品点数を削減できるのでカバーと灯体との接続が簡単になる。
【００１０】
請求項２記載の放電灯用ソケットは、導電性の灯体に支持された放電灯に、押し込みかつ回転させることにより嵌合装着される放電灯用ソケットにおいて、ソケット本体と前記ソケット本体の背面および側面を被覆する導電性のカバーを有し、前記ソケット本体は、一側面にリード線が導出しかつ前記リード線を覆うシールドスリーブの端部を外嵌させる突出部を有し、前記カバーは前記カバーを前記ソケット本体に被せることにより前記突出部の前記シールドスリーブ上に嵌合する嵌合部を有するとともに、前記カバーの開口縁に第１の接触子を設け、前記放電灯に前記ソケット本体を装着したとき前記灯体に設けられた第２の接触子に前記第１の接触子が接触することを特徴とするものである。
【００１１】
請求項２記載の放電灯用ソケットによれば、請求項１と同様な効果がある。
【００１２】
請求項３記載の放電灯用ソケットは、請求項２において、前記シールドスリーブに電気的導通のため噛み合わせる接続刃状部を前記嵌合部に設けたものである。
【００１３】
請求項３記載の放電灯用ソケットによれば、シールドスリーブを接続刃状部により確実に接続することができるので、電気的接続の信頼性が向上する。
【００１４】
【発明の実施の形態】
この発明の第１の実施の形態を図１により説明する。すなわち、この放電灯照明器具は、灯体１と、ランプソケット２と、点灯装置（図示せず）と、カバー４とを有する。
【００１５】
灯体１は導電性であり、放電灯５を装着して支持する。実施の形態では灯体１を反射板とし、放電灯５はＨＩＤランプであり、これを灯体１の中心に取付けている。２０は放電灯５の絶縁体で形成した口金部でそれよりも外方の先端側に細径の周縁電極部２１と、これに同心の中心電極２２とを設けている。２３は口金部のつばである。また灯体１に取付ける放電灯５の口金２０の取付部の付近で灯体１に剛体の接触子７を設けている。１０はランプ口金１１に設けたランプ取付ピンで周面の対称位置に一対設けている。
【００１６】
ランプソケット２は、灯体１に支持された放電灯５に押し込みかつ回転させることにより嵌合されて装着されるバヨネット取付式であり、ランプ取付ピン１０に係合する略Ｌ字形のランプピン係合溝を有する。また円筒状のランプソケット２の一側より角柱状の突出部１３を設け、突出部１３よりリード線（図示せず）を引出している。
【００１７】
点灯装置は、放電灯５を高周波点灯させるもので、リード線を点灯装置に接続し、そのリード線をシールドスリーブ１２で被覆し、シールドスリーブ１２の端部を突出部１３に外嵌している。
【００１８】
カバー４は導電性であり、ランプソケット２の背面から側面を覆い、放電灯５にランプソケット２を装着したときカバー４と灯体１とが電気的に接続される。実施の形態では開口縁に凹部が形成され、凹部１５の内側縁より凹部１５内に延出して接触子７に接触する接触子８が一体に設けられている。カバー４は金属製であり接触片８は弾性を有し、かつ接触子７に位置決めするための位置決め部１６を曲成し、その位置をランプソケット２を放電灯５に差込み回転して嵌合した位置に合わせるようにしている。またランプソケット２の突出部１３に外嵌する角筒状の嵌合部１４をカバー４に設け、シールドスリーブ１２の端部を嵌合部１４の端部で外嵌して電気的に接触している。なおカバー４はランプソケット２に単に被せることにより接触片７、８の接触およびシールドスリーブ１２との接触により固定させることができるが、ランプソケット２に挾み込んだりその他の固定手段でランプソケット２に固定するようにしてもよい。
【００１９】
この放電灯照明器具は、ＨＩＤバラストを固定し、ＨＩＤランプの放電灯５にランプソケット２を回転嵌合により装置することによりリード線を通して電力を供給する。導電性のカバー４の接触子８にばね性をもたせてランプソケット２の回転嵌合により装着するのと同時に接触子７と位置決め状態に接続されることにより、灯体１、カバー４およびシールドスリーブ１２を電気的に導通させている。
【００２０】
なお、放電灯用ソケットは上記のように、導電性の灯体１に支持された放電灯５に、押し込みかつ回転させることにより嵌合装着される放電灯用ソケットにおいて、ソケット本体の背面および側面を覆う導電性のカバー４を設け、ソケット本体を放電灯５へ装着したとき、カバー４を灯体１に電気的に接続させている。
【００２１】
第１の実施の形態によれば、従来のソケットフィクチャのような別部品は必要がなくなるので、部品点数が削減できる。また接触子７、８を側面において嵌合させることにより開口部に接触させるよりも導電性カバーの部品加工時に工数が削減でき安価にすることができる。
【００２２】
さらに接触子７の形状を導電性カバー４の接触子８に合わせることにより、回転嵌合時の位置決めに使用できる。接触子７をソケット嵌合時の位置決め用と兼用することにより、確実に装着することができので、半嵌合による発火や発煙を防止することができる。また位置決め部分にクリック感が生じるため、目視だけでなく小スペース時の手の感覚により装着の有無が確認できる。
【００２３】
またランプソケット２の回転嵌合と同時にランプソケット２とカバー４を装着することを１つの動作で行なうことができ、作業性がよい。
【００２４】
この発明の第２の実施の形態を図２に示す。すなわち、この放電灯照明器具は、第１の実施の形態において、カバー４側の接触子８を剛体とし、灯体１の接触子７に弾性を持たせている。また接触子７は波形に湾曲して嵌合凹部１５を形成し、接触子８を凹部１５に弾性係合することにより位置決めしている。
【００２５】
その他は、第１の実施の形態と同様である。
【００２６】
この発明の第３の実施の形態を図３に示す。すなわち、この放電灯照明器具の放電灯用ソケットは、ソケット本体２ａが、略円筒状であってその一側面に複数のリード線１７が導出する角柱状の突出部１３を設け、リード線１７を覆って外嵌したシールドスリーブ１２の端部を突出部１３に外嵌し、突出部１３でシールドスリーブ１２に電気的導通のため噛み合わせる接続刃状部１９をカバー４に設けている。
【００２７】
このように導電性カバー４に角柱状の嵌合部１４を一体に設け、嵌合部１４の下端部に接続刃状部１９を突出し、ランプソケット２の突出部１３をシールドスリーブ１２にて包み、さらに導電性カバー４に嵌合させると同時に接続刃状部１９にて挟み込むことにより確実に電気的接続が得られる。
【００２８】
この実施の形態によれば、導電性カバー４の下面に切り欠きを設けるのではなく、導電性カバー４と一体に嵌合部１４を設けて嵌合部１４の下端開口部に刃状部１９を設け、ランプソケット２を導電性カバー４に嵌め込むときに接続刃状部１９とランプソケット２によりシールドスリーブ１２を保持することによりスリーブの摩耗等を防止し、導通性阻害を防止している。また刃状部１９をシールドスリーブ１２に噛み合わせることにより振動等からのシールドスリーブ１２の外れを防止することができる。
【００２９】
なお、接触子７，８はそれぞれ一対設けられてもよい。
【００３０】
【発明の効果】
請求項１記載の放電灯照明器具によれば、放電灯にランプソケットを装着したときカバーと灯体とを電気的に接続させるため、ノイズ除去が可能となるとともに部品点数を削減できるのでカバーと灯体との接続が簡単になる。
【００３１】
請求項２記載の放電灯用ソケットによれば、請求項１と同様な効果がある。
【００３２】
請求項３記載の放電灯用ソケットによれば、請求項２と同様な効果のほか、シールドスリーブを接続刃状部により確実に接続することができるので、電気的接続の信頼性が向上する。
【図面の簡単な説明】
【図１】この発明の第１の実施の形態の灯体とランプソケットとの接続前の部分斜視図である。
【図２】第２の実施の形態の灯体とランプソケットとの接続前の部分斜視図である。
【図３】第３の実施の形態のランプソケットのカバーおよびシールドスリーブの接続を示す部分斜視図である。
【符号の説明】
１    灯体
２    ランプソケット
４    カバー
５    放電灯
７    接触子
８    接触子
１２    シールドスリーブ
１３    突出部
１４    嵌合部
１９    接続刃状部
【図１】
0003684883.tif 000002
【図２】
0003684883.tif 000003
【図３】
0003684883.tif 000004